(57)【特許請求の範囲】
【請求項１】
洗い場の排水に含まれる抜け毛や糸くずを塊状に捕集するために、排水トラップに取り付けられるヘアキャッチャーであって、
多数の排水孔が穿設された底面と、
該底面の周縁より連続して上方に立ち上がる保水部側壁の内側に空間部を設けた保水部と、
該保水部側壁の上端縁より連続し、外傾した傾斜面に多数の排水流出孔が穿設された上部排水流出部と、
該上部排水流出部の上端縁より連続して外側方に張り出すフランジ部と、
前記上部排水流出部を囲むように設けた立壁部、とよりなり、
前記底面には、上面のうち前記排水孔を回避した位置に突条を設け、
前記立壁部は、前記上部排水流出部の上端縁に沿う平視が略円弧状壁部の一端に第１のガイド壁部を、他端に第２のガイド壁部を夫々設け、
前記第１のガイド壁部は、前記平視が略円弧状壁部となす内角が鈍角を以って前記上部排水流出部を上方から下方に横切り、下端が前記保水部上端縁に位置するように延設され、前記第２のガイド壁部は、前記平視が略円弧状壁部となす内角が鋭角を以って前記平視が略円弧状壁部内側方に彎曲し、下端が前記上部排水流出部の高さ方向中途位置に位置するように延設され、
前記立壁部の第１のガイド壁部と、別の立壁部の第２のガイド壁部との間に排水導入口を設け、
前記フランジ部には、該フランジ部に於ける前記排水導入口に対応する位置に、フランジ部の一部を切除することで、切縁がフランジ部周縁と連続する所望の溝深を有する溝を凹設可能に、周方向に所定距離離隔し半径内方向に延びる２本の切取線と、該２本の切取線間に周方向に沿う複数本の溝底切取線を連続して設け、
前記フランジ部に於ける前記排水導入口に対応する位置以外の部分に於いては、フランジ部の一部を切除することで、切縁がフランジ部外周縁と連続しフランジ部の外周縁から半径内方向に窪む溝を形成可能に、該溝の溝縁形状と同じ形状の切取線を、フランジ部の外周縁から前記立壁部外面までの範囲内に設けたことを特徴とするヘアキャッチャー。
【請求項２】
上記上部排水流出部上面に張り付いた抜け毛を浴室の排水で流し落とし保水部へ集めるために、上記立壁部に於ける平視が略円弧状壁部の周方向中途位置には排水流入口を設けたことを特徴とする請求項１に記載のヘアキャッチャー。
【請求項３】
フランジ部の外径を使用する排水筒の径に対応させるために、上記フランジ部には内外方向の幅を所望割合に分離可能な位置に、切取線をフランジ部の周方向に沿って設け、
前記切取線に沿ってフランジ部のうち前記切取線の外側部分を切除することで外径を縮小するようにしたことを特徴とする請求項１又は２の何れかに記載のヘアキャッチャー。
【発明の詳細な説明】
【技術分野】
【０００１】  本願発明は浴室の排水トラップに取り付け、排水と共に流れ込む抜け毛を渦状の塊にして捕集するためのヘアキャッチャーに関する。
【背景技術】
【０００２】  浴室等の洗い場で洗髪等をすると、排水に含まれる抜け毛、糸くず及び金属石鹸（石鹸かす）等の固形分で、排水筒を詰まらせるおそれがある。そこで、目皿の代わりに排水口に多数の穿孔を設けたヘアキャッチャーを取り付け、該ヘアキャッチャーに抜け毛等を捕集し、排水筒の詰まりを軽減するようにしたヘアキャッチャーが提案されている。
従来、この種のヘアキャッチャーとしては、特許文献１〜３に開示のものが提案されている。特許文献１〜３に開示のヘアキャッチャーは、中央に凸部を有し多数の排水孔を穿設した底部と、底部の周縁から上方に彎曲して漸次内径が拡開する保水部と、該保水部の上端縁からラッパ状に外傾し多数の排水孔が穿設された上部排水流出部と一体化して椀状に形成し、上部排水流出部上端縁には周方向に延び底部の平視中心を中心として点対象となる位置に１対の分割立壁部を連設している。各分割立壁部の周方向一端は、保水部の上端まで延設され排水の案内壁としての作用をなしている。分割立壁部の周方向一端縁と別の分割立壁部の周方向他端縁とを所定距離離隔し、該離隔部分を排水が流れ込むための流入口となしている。上部排水流出部の上部外周面には下方延出部を設け、該下方延出部には周方向に沿う嵌合溝を形成している。排水筒の上部に嵌着した締め付けフランジの内周面に設けた突条に、ヘアキャッチャーの下方延出部の嵌合溝を嵌め込んでヘアキャッチャーを排水トラップ上部に取り付けて使用するものである。洗い場の抜け毛を含む排水は、流入口を経て保水部へ流し込まれ、保水部にて渦流を形成する。水は排水孔より排水する。排水中に含まれる抜け毛や糸くず等は、底部に於いて、凸部を囲むように凹部に渦状に付着し捕集されるようにしている。
特許文献１〜３に開示のヘアキャッチャーであると、流入口を構成する分割立壁部の周方向一端縁が保水部の上端まで延設され、他端縁が上部排水流出部の上端縁に沿って形成されているため、排水に包含される抜け毛や糸くずが分割立壁部の周方向一端側から流入した場合、保水部の上端まで延設されている案内壁部分に沿って保水部へ送り込まれる。分割立壁部の周方向他端側から流入した場合は、分割立壁部の周方向他端縁に引っ掛かり、保水部へと完全に送り込まれない事態が生じるという問題点があった。又、流入口へと送り込まれる排水は、大まかに３方向からの作用の影響を受ける。１つ目の方向は、流入口と底部中心とを結ぶ線上に作用する。換言すればヘアキャッチャーの半径内方向に沿う線上に沿って作用しする。２つ目の方向は、分割立壁部の周方向他端縁に接線上に沿って作用する。３つ目の方向は、分割立壁部の周方向一端縁の内側に入り込むように彎曲した外面に沿って保水部方向に作用するものである。これら３方向に作用する力が衝突し、実際には流入口から保水部へ入った排水は、分割立壁部の周方向一端縁の内側に入り込むように彎曲した外面に沿って保水部方向に作用する力よりも弱い作用力で排水を一方向に回転する。流入口へ入る水は、３方向からの力の作用を受けるため、保水部に流入した水の回転力が弱い。その結果、排水に含まれる抜け毛等が上部排水流出部上面に付着して保水部へ流れ込まない事態が生じる場合がある。又、洗い場からの排水量の全てが流入口を通過しきれない水量である場合は、分割立壁部に排水の流れ込む箇所が無いという理由により、排水は分割立壁部を乗り越えて保水部へ流れ込む。排水に含まれる抜け毛等は、分割立壁部に引っ掛かったり、上部排水流出部上面に付着する事態が生じる場合がある。又、上部排水流出部を通る水は、排水孔より真下に落下することより、上部排水流出部の上面に張り付いた抜け毛や糸くずは保水部へ移動せず、上部排水流出部の上面に張り付いた状態を保持し、そのまま乾燥して上部排水流出部の上面にへばり付く事態が生じる場合があるという問題点があった。更に、排水トラップへの取り付けは、上部排水流出部の上部外周面に周方向に沿う嵌合溝を、排水筒の上部に嵌着した締め付けフランジの内周面に設けた突条に嵌合することにより一体的に取り付ける構成であるため、取着可能な排水トラップは専用の排水トラップに限定し、汎用性が無いという問題点があった。
通常、排水トラップは各メーカーによりサイズや形状を異ならしめている。各メーカーは自社の特定の排水トラップにのみ夫々適合するように、排水トラップと対となるヘアキャッチャーを提案しており、複数のメーカーの排水トラップに適合できるヘアキャッチャーは提案されていない。消費者はヘアキャッチャーが損傷すると、排水トラップの製造メーカーに排水トラップに適合したヘアキャッチャー注文をしなければならず面倒である問題点があった。
又、開孔を有する底面と、該底面周縁から立設された周壁と、該周壁の上端から外側方へ張出す開孔を具備する上縁部と、該上縁部の一部に開口を具備した整流板とよりなり、浴室の洗い場に設けた目皿の下方の排水枡の底部に取り付けて使用するヘアキャッチャーが提案されている（例えば、特許文献４参照）。
特許文献４に開示のヘアキャッチャーであると、排水枡の底面はヘアキャッチャーの上縁部外径より大であるため、排水枡より流れ込んだ抜け毛を含んだ排水はヘアキャッチャーの横方向、つまり上縁と排水枡底部との隙間から下流へ送り出される可能性があり抜け毛がヘアキャッチャーと排水枡との間に挟まりこんだりするおそれがある。又、ヘアキャッチャーにはスクリュー状になった水が送り込まれないため、抜け毛がヘアキャッチャーのあらゆる部分に引っ掛かる可能性があり、ヘアキャッチャーから抜け毛を除去する手間を要するという問題点があった。
又、ヘアキャッチャーの底面を棒部材で下方に加圧し、排水が流入してきた場合に排水のフランジ縁側縁に負荷する圧力でヘアキャッチャーが排水口から浮くことを防止し、フランジ縁下方から排水に含まれる抜け毛等が排水筒に直接入り込まないようにしたものが提案されている（例えば、特許文献５参照）。
特許文献５に開示のヘアキャッチャーであると、排水が一方向から流れ込むことがないため、抜け毛が塊状にならず、抜け毛の除去作業が面倒であるという問題点があった。
又、ヘアキャッチャーを底部中央に凸部を設け全体を大きな網目状にし、且つ上端縁に取っ手部を設けたもの（例えば、特許文献６参照）や、特許文献６に開示のヘアキャッチャーの周縁に半径内方向に窪む平視半円形状の溝を外周部を設けたもの（例えば、特許文献７参照）が提案されている。
特許文献６や特許文献７に開示のヘアキャッチャーであると、排水が一方向から流れ込むことがないため、抜け毛が塊状にならない。そのため、ヘアキャッチャーから抜け毛等を除去する作業が面倒である。
又、網目が大きいため、抜け毛が網目を通過し排水と共に排水筒へと流れ落ちるという問題点があった。
そこで、本願発明者は上記従来技術の有する問題点に鑑みて研究をし、抜け毛が排水と共に保水部へと渦状の塊になって捕集されるヘアキャッチャーを創案し、特許出願した（特許文献８参照）。特許文献８に開示のヘアキャッチャーは、整流板の一端側には内角が鈍角を以って連設した一端側ガイド板を、整流板の他端側には内角が鋭角を以って連設した他端側ガイド板を連設している。一端側ガイド板の下端位置と、他端側ガイド板の下端位置は、保水部上端縁に位置し、一端側ガイド板と別の整流板の他端側ガイド板との間を排水流入路となしている。
特許文献８に開示のヘアキャッチャーであると、整流板の長さ方向における一端側と他端側に夫々ガイド板を設けているため、特許文献１〜３に開示のヘアキャッチャーと比較すると保水部に入り込んだ排水が一方向に強い作用力で回転する。そのため、抜け毛等がすり鉢状の流入斜面に付着しにくく、保水部の中心に塊となって底面に配設しやすいという長所がある。しかし、特許文献８に開示のヘアキャッチャーを内径の異なる排水トラップに使用する場合は、購入者が鋏等の切断工具でフランジ部を周方向沿って切断し、平視を小径にする必要がある。合成樹脂製薄片の全周縁を切断し、ヘアキャッチャーを平視真円にすることは使用者にとっては困難であるという問題点があった。
又、一端側ガイド板及び他端側ガイド板はすり鉢状の流入斜面を斜めに横切ってすり鉢状の流入斜面の上端縁から保水部上端縁に亘り延設され、一端側ガイド板と別の整流板の他端側ガイド板との離隔部分を排水流入路としているため、排水流入路の横幅が上方から下方になるに従い漸次幅狭になる。洗い場からの排水量が多い場合は、排水流入路から入った排水は排水流入路の下方に於いて整流板のうち他端側ガイド板を乗り超えてすり鉢状の流入斜面へと流れ込む事態が生じるおそれがあるという問題点があった。
又、洗い場の排水量によっては排水が排水流入路を通過しきれず、整流板のうち平視弧状部分の範囲を乗り越えて保水部へと流れ込む事態が生じ、排水に含まれる抜け毛等が整流板に引っ掛かったり、或は、すり鉢状の流入斜面に張り付く事態が生じるという問題点があった。排水が整流板を乗り越えず排水流入路から導入された場合であっても、排水が保水部にて渦状に回転中に排水がすり鉢状の流入斜面から流下し、抜け毛等に下方への力が作用してすり鉢状の流入斜面にへばりつき、除去作業が面倒であるという事態が生じる場合があるという問題点があった。
【先行技術文献】
【特許文献】
【０００３】
【特許文献１】特開２００９−２０３７７０号公報
【特許文献２】特開２０１１−１６９１０２号公報
【特許文献３】意匠登録第１３４７４０８号の意匠公報
【特許文献４】特開２００９−１８５５３７号公報
【特許文献５】特開２０１０−２２９７６３号公報
【特許文献６】特開２０１０−１５９５７２号公報
【特許文献７】特開２００９−２１３８７５号公報
【特許文献８】特開２０１２−１０７４８３号公報
【発明の概要】
【発明が解決しようとする課題】
【０００４】  本願発明は、立壁部のうち円弧状壁部に排水流入口を設けると共に、円弧状壁部の周方向端部に内角及び延設位置の異なるガイド壁部を設けることで、洗い場の抜け毛等を含んだ排水を立壁部を乗り越えることなく排水導入口へと導き、保水部で形成される一方向に回転する渦流で抜け毛等を塊状に形成可能にし、フランジ部に切取線を設けて所望の溝深の溝をフランジ部に形成可能にすることで、フランジ部の簡単な一部切除作業で各メーカーの排水トラップに適合する汎用性のあるヘアキャッチャーを提供することを目的とする。
【課題を解決するための手段】
【０００５】  上記目的を達成するために本願発明のうち請求項１に記載の発明は、洗い場の排水に含まれる抜け毛や糸くずを塊状に捕集するために、排水トラップに取り付けられるヘアキャッチャーであって、多数の排水孔が穿設された底面と、該底面の周縁より連続して上方に立ち上がる保水部側壁の内側に空間部を設けた保水部と、該保水部側壁の上端縁より連続し、外傾した傾斜面に多数の排水流出孔が穿設された上部排水流出部と、該上部排水流出部の上端縁より連続して外側方に張り出すフランジ部と、前記上部排水流出部を囲むように設けた立壁部、とよりなり、前記底面には、上面のうち前記排水孔を回避した位置に突条を設け、前記立壁部は、前記上部排水流出部の上端縁に沿う平視が略円弧状壁部の一端に第１のガイド壁部を、他端に第２のガイド壁部を夫々設け、前記第１のガイド壁部は、前記平視が略円弧状壁部となす内角が鈍角を以って前記上部排水流出部を上方から下方に横切り、下端が前記保水部上端縁に位置するように延設され、前記第２のガイド壁部は、前記平視が略円弧状壁部となす内角が鋭角を以って前記平視が略円弧状壁部内側方に彎曲し、下端が前記上部排水流出部の高さ方向中途位置に位置するように延設され、前記立壁部の第１のガイド壁部と、別の立壁部の第２のガイド壁部との間に排水導入口を設け、前記フランジ部には、該フランジ部に於ける前記排水導入口に対応する位置に、フランジ部の一部を切除することで、切縁がフランジ部周縁と連続する所望の溝深を有する溝を凹設可能に、周方向に所定距離離隔し半径内方向に延びる２本の切取線と、該２本の切取線間に周方向に沿う複数本の溝底切取線を連続して設け、前記フランジ部に於ける前記排水導入口に対応する位置以外の部分に於いては、フランジ部の一部を切除することで、切縁がフランジ部外周縁と連続しフランジ部の外周縁から半径内方向に窪む溝を形成可能に、該溝の溝縁形状と同じ形状の切取線を、フランジ部の外周縁から前記立壁部外面までの範囲内に設けたことを特徴とする。
請求項２に記載の発明は、上記上部排水流出部上面に張り付いた抜け毛を浴室の排水で流し落とし保水部へ開設したことを特徴とする。
請求項３に記載の発明は、フランジ部の外径を使用する排水筒の径に対応させるために、上記フランジ部には内外方向の幅を所望割合に分離可能な位置に、切取線をフランジ部の周方向に沿って設け、前記切取線に沿ってフランジ部のうち前記切取線の外側部分を切除することで外径を縮小するようにしたことを特徴とする。
【発明の効果】
【０００６】  立壁部の円弧状壁部の一端に連設した第１のガイド壁部と、別の立壁部の円弧状壁部の他端に設けた第２のガイド壁部の先端の高さ方向位置を互いに異ならしめることで、排水に含まれる抜け毛等がガイド壁部に引っ掛かることなく、浴室の排水と共にスムーズに保水部へ流れ込み集められるという効果がある。
抜け毛等が排水導入口から排水と共に立壁部の内側方に入り込み上部排水流出部の傾斜面上に付着した場合であっても、円弧状壁部の周方向、すなわち長さ方向の中途位置に開設した排水流入口から流入する洗い場からの排水により保水部へと流れ落ち、上部排水流出部上面には抜け毛等が付着しないという効果がある。
フランジ部に於ける排水導入口に対応する位置に、１個の溝形成部分に複数本の溝底切取線を設けることで、使用者は溝の深さを選択可能で、特開２００９−２１３８７５号公報の図１２に示される内向係止爪状のヘアキャッチャー取り付け部を具備する排水筒や、内径の異なる各種排水筒にも取り付けることができ、汎用性があるという効果がある。
溝を形成することのみでは、棒メーカーの排水筒に装着不可能な場合は、フランジ部に設けられた切取線に沿って鋏でフランジ部の外側を切除し、排水筒に合致して取着でき、日本国内で流通する総ての排水筒に対応可能であるという効果がある。
【図面の簡単な説明】
【０００７】
【図１】ヘアキャッチャーの平面図である。（実施例１）
【図２】ヘアキャッチャーの底面図である。（実施例１）
【図３】立壁部の拡大平面説明図である。（実施例１）
【図４】ヘアキャッチャーの正面図である。（実施例１）
【図５】ヘアキャッチャーの右側面図である。（実施例１）
【図６】図１のＡ−Ａ線断面図である。（実施例１）
【図７】図１のＢ−Ｂ線断面図である。（実施例１）
【図８】図１のＣ−Ｃ線断面図である。（実施例１）
【図９】図６のＤ−Ｄ部分拡大図である。（実施例１）
【図１０】図７のＥ−Ｅ部分拡大図である。（実施例１）
【図１１】図８のＦ−Ｆ部分拡大図である。（実施例１）。
【図１２】ヘアキャッチャーの斜視図である。（実施例１）
【図１３】半円状切取線に沿って切断し半径内方向に半円状に窪む溝をフランジ部に設けたヘアキャッチャーを、上端部が外傾傾斜面によりラッパ状に漸次拡開し排水口縁に４個の内向係止爪を設けた排水筒の排水口に取り付ける状態を説明する説明斜視図である。（実施例１）
【図１４】排水導入口に対応する位置に設けた切取線及び溝底切取線に沿って切断し矩形状の溝をフランジ部に対設したヘアキャッチャーを、上部内側縁に段部を設けることで排水口を上端方になるに従い段階的に拡開し排水口縁に２個の内向係止爪を配設した排水筒の排水口に取り付けた状態を示す縦断面説明図である。（実施例１）
【図１５】ヘアキャッチャーの平面図である。（実施例２）
【図１６】ヘアキャッチャーの底面図である。（実施例２）
【発明を実施するための形態】
【０００８】  立壁部の平視が略円弧状壁部の一端側に第１のガイド壁部の先端と、別の立壁部の平視が略円弧状壁部の他端側に設けた第２のガイド壁部との先端の高さ方向位置を互いに異ならしめることで、排水中の抜け毛等をガイド壁先端部に引っ掛からないようにし、且つ保水部での排水の渦流回転力を大にして抜け毛等を一層完全な塊状にし、平視弧状の立壁部に排水流入口を開設することで、上部排水流出部上面上に付着しようとする抜け毛等を排水流入口から流れ込む洗い場の排水で保水部へ集めるようにし、フランジ部に切取線を設けることで溝やフランジ部の内外方向の幅を使用する排水筒に容易に対応可能に形成にし、日本国内で流通する全メーカーの総てのサイズの排水筒に装着可能にし、高汎用性を実現した。
【実施例１】
【０００９】  図１〜図１４を参照にして実施例について説明する。図１はヘアキャッチャーの平面図、図２はヘアキャッチャーの底面図、図３は立壁部の拡大平面説明図、図４はヘアキャッチャーの正面図、図５はヘアキャッチャーの右側面図、図６は図１のＡ−Ａ線断面図、図７は図１のＢ−Ｂ線断面図、図８は図１のＣ−Ｃ線断面図、図９は図６のＤ−Ｄ部分拡大図、図１０は図７のＥ−Ｅ部分拡大図、図１１は図８のＦ−Ｆ部分拡大図、図１２はヘアキャッチャーの斜視図、図１３は半円状切取線に沿って切断し半径内方向に半円状に窪む溝をフランジ部に設けたヘアキャッチャーを、上端部が外傾傾斜面によりラッパ状に漸次拡開し排水口縁に４個の内向係止爪を設けた排水筒の排水口に取り付ける状態を説明する説明斜視図、図１４は排水導入口に対応する位置に設けた切取線及び溝底切取線に沿って切断し矩形状の溝をフランジ部に対設したヘアキャッチャーを、上部内側縁に段部を設けることで排水口を上端方になるに従い段階的に拡開し排水口縁に２個の内向係止爪を配設した排水筒の排水口に取り付けた状態を示す縦断面説明図である。
これらの図において、ヘアキャッチャー１の底面２は平視が略真円状に形成されており、多数の排水孔３が穿設されている。実施例１では、排水孔３は縦横に列状に穿設されている。底面２には排水孔３の中心を結ぶ線が一直線上に位置する、換言すれば、同一直線上に穿孔された多数の排水孔３を一列の排水流出孔群とすると、多数列の排水流出孔群が穿設されている。
底面２の上面には、排水孔３を回避する位置に凸条４を設けている。詳しくは、底面２の上面のうち、一列の排水流出孔群と、該排水流出孔群と隣り合う他の一列の排水流出孔群との間に設けられた平坦な上面に、夫々の凸条４が底面２の外周縁から対向する外周縁に亘り底面２を横切るように設けられている。凸条４は、互いに平行な位置関係を以って突設されている。【００１０】  底面２の外周縁には、底面２の外周縁から上方に延び、且つ平面から視て外側方に漸次内径が拡開するように外傾した保水部側壁５を連設し、保水部側壁５と底面２とで囲まれる空間部を保水部６となしている。【００１１】  上部排水流出部７は、保水部６を構成する保水部側壁５の上端縁から連続して外側方に傾斜する傾斜面よりなる。上部排水流出部７は、保水部側壁５の傾斜角度よりは大きな傾斜角を以って外傾している。上部排水流出部７の上面側に於ける全周縁には、外側方に張り出すフランジ部８を設けている。フランジ部８は上部排水流出部７と連続して設けられている。フランジ部８は、所定の均一な肉厚を有し上面と下面が平坦な面よりなる。フランジ部８の下面は底面２の上面と平行な位置関係を有して外側方に張出して延設されている。上部排水流出部７の下面側に於ける上端部全周には、フランジ部８の下面と９０度の角度を有する周壁面９を設けている。上部排水流出部７の下面とフランジ部８の下面は、周壁面９を介して連設されている。換言すれば、フランジ部８の下面側には、フランジ部８の下面と周壁面９よりなる段部を有して上部排水流出部７の下面が連続して設けられている。【００１２】  １対の立壁部１０、１１は、上部排水流出部７の上面側に於ける上端周縁と連続して立設されている。立壁部１０、１１は、上部排水流出部７の上面側に於ける周縁の一部に沿う弧状形状をした部分、つまり図３に示すように平視が劣弧の円弧状壁部１２と、円弧状壁部１２の長さ方向の一端側に連設された第１のガイド壁部１３と、円弧状壁部１２の長さ方向の他端側に連設された第２のガイド壁部１４とが一体的に連設してなる。第１のガイド壁部１３は、平面から視て円弧状壁部１２の内周面と９０度を越し１８０度未満の鈍角を以って連設されている。第１のガイド壁部１３は上部排水流出部７の傾斜面を這わせて横切り、第１のガイド壁部１３の先端縁は、上部排水流出部７の下端縁（保水部側壁５の上端縁）に位置するように設けられている。円弧状壁部１２の長さ方向に於ける他端側に連設した第２のガイド壁部１４は、平面から視て円弧状壁部１２の内周面と９０度未満の鋭角を以って円弧状壁部１２の内面側方向に彎曲している。第２のガイド壁部１４は上部排水流出部７の上面を這わせ、第２のガイド壁部１４の先端縁は、上部排水流出部７の高さ方向中途位置に位置するように延設されている。円弧状壁部１２には、排水流入口１５が開設されている。排水流入口１５は、円弧状壁部１２の周方向（長さ方向）の略中央位置に於いて、円弧状壁部１２の存在しない部分を設けることで形成されている。立壁部１０、１１の内側面には、立壁部１０、１１の強度向上のために上下方向に延びる補強部１６が設けられている。上部排水流出部７のうち第１のガイド壁部１３と円弧状壁部１２及び第２のガイド壁部１４とで囲まれる範囲には、多数の排水流出孔１７が穿設されている。上部排水流出部７のうち立壁部１０の第１のガイド壁部１３と立壁部１１の第２のガイド壁部１４との離隔部分は排水導入口１８となし、立壁部１１の第１のガイド壁部１３と立壁部１０の第２のガイド壁部１４との離隔部分は排水導入口１９となす。【００１３】  フランジ部８には、周縁から排水導入口１８、１９の中途位置に亘る範囲に内外方向に延びる１対の切取線２０、２０を設けている。１対の切取線２０、２０間には周方向に沿う２本の溝底切取線２１、２２を設けている。切取線２０と溝底切取線２１、２２との交わる位置には、切取作業を容易化するために微細孔２３が穿設されている。周方向に沿う溝底切取線は３本以上設けてもよい。フランジ部８の下面側に於ける切取線２０、２０と溝底切取線２２とで囲まれる部分には、外側面がフランジ部８の下面と９０度の角度を以ってフランジ部８の下面から下方に延びる係止突起２４を設けている。【００１４】  フランジ部８に於ける排水導入口１８、１９が設けられていない範囲には、周方向に所定距離離隔して凵状切取線２５を設けている。凵状切取線２５はフランジ部８の外周縁から立壁部１０、１１の外側面に亘る範囲に設けられ、角部には微細孔２６が穿設されて、切取作業の容易化を図っている。凵状切取線２５の内側部には、フランジ部８の下面と９０度の角度を以って下方に延びる係止突起２７を連設している。微細孔２６及び係止突起２７を具備した３個の凵状切取線は、フランジ部８に周方向に１２０度の角度を有して離隔して設けられている。【００１５】  フランジ部８に於ける排水導入口１８、１９に対応しない範囲には、周方向に所定距離離隔して半円状切取線２８を設けている。半円状切取線２８は、フランジ部８の外周縁から立壁部１０、１１の外側面に亘る範囲に設けている。除去作業を容易化のために、半円状切取線２８の中央部には微細孔２９を穿設している。切取線２０、溝底切取線２１、２２、凵状切取線２５、及び半円状切取線２８は、フランジ部８の肉厚よりも厚みを薄くし、切取線２０、２１、２２、２５で囲まれる部分を容易に切除可能にしている。【００１６】  図１３を参照にして作用を説明する。排水トラップ３０は、円筒状の排水筒本体の上部を半径外側方に拡開してフランジ部を連設し、該フランジ部周縁を立ち上がらせて所定幅の係止爪取付部を設け、該係止爪取付部には４個の内向係止爪３１を周方向に９０度の離隔角度を以って配設された排水筒３２の上端に、フランジ部３３を取着して構成されている。ヘアキャッチャー１の半円状切取線２８を切除して半円状片３４を除去する。フランジ部８の周縁には、周方向に９０度の離隔角度を以って半径内方向に窪む半円状溝３５が凹設される。フランジ部８は、排水筒３２の上端に連設したフランジ部上面に、係止爪取付部の内側面にフランジ部８の外周面が対向して載置される。半円状溝３５を形成することで、半円状溝３５の溝壁を内向係止爪３１の基部内側に沿わせてヘアキャッチャー１を係止爪取付部の内側に配設できる。又、配設後はヘアキャッチャー１が周方向に移動しても、内向係止爪３１がフランジ部８の上面を抑えて浮き上らせない���浴室の洗い場からの抜け毛等が含まれる排水が排水口方向に流れると、排水は立壁部１０、１１に案内されて排水導入口１８、１９へと流れ込む。又、排水導入口１８、１９を構成する第２のガイド壁部１４が上部排水流出部７の中途位置まで延設されているため、排水は排水導入口１８、１９を構成する第２のガイド壁部１４に囲まれる上部排水流出部７の方向へ流れ、抜け毛等は第２のガイド壁部１４に引っ掛かることなく第１のガイド壁部１３の延長線方向に流れる排水により保水部６の方向へ流される。第１のガイド壁部１３の延設位置が第２のガイド壁部１４の延設位置と比較して長いため、第２のガイド壁部１４に案内される排水の作用力は第１のガイド壁部１３に案内される排水の作用力よりも小さい。排水は、排水導入口１８、１９を第１のガイド壁部１３の外側壁延長線上へと進み、排水の力の作用線が第１のガイド壁部１３の外側壁に沿い、排水は保水部６で渦流を形成する。そのため、保水部６での排水の回転力は上記先行技術文献に記載のヘアキャッチャーよりも強い。洗い場で発生する排水量が排水導入口１８、１９を通過可能量を著しく超過する場合は、排水の一部は立壁部１０、１１の円弧状壁部１２を乗り越えて上部排水流出部７を経て保水部６へと流れ込む。円弧状壁部１２を乗り越えて流れ込んだ排水に含まれる抜け毛等が上部排水流出部７に張り付いた場合は、排水流入口１５から流れ込む排水により、上部排水流出部７上面に張り付いた抜け毛等は保水部へと流下し、上部排水流出部７の上面には抜け毛等は付着しない。排水流入口１５は対向する位置に設けられているので、浴室の洗い場排水口用蓋の下面に設けられた凸条が排水流入口１５の内側に配設され、被蓋可能であるという作用効果もある。【００１７】  図１４を参照にして作用について説明する。排水筒３６の上部は段部を設けて内径を拡開し、上端部には所定幅の係止爪取付部を連設し、係止爪取付部には１対の内向係止爪３７を対向する位置に設けている。溝底切取線２１と切取線２０とで囲まれる矩形状片を切除し、排水導入口１８、１９に半径内方向に窪む凵状溝を形成する。内向係止爪３７に凵状溝を配設して、フランジ部８を係止爪取付部上に載置して排水筒３６にヘアキャッチャー１を取り付ける。周壁面９と係止突起２７の外側面が、係止爪取付部に係止することで、ヘアキャッチャー１は安定的に排水筒３６に取り付けられる。
【実施例２】
【００１８】  図１５及び図１６を参照にして実施例２を説明する。
フランジ部３９の下面には、周方向に沿って真円状の切取線４０を設けている。切取線４０は、フランジ部３９の他の部分と比較して肉薄で超極幅狭な有底溝４１を周方向に長く設け、有底溝４１間には、フランジ部３９の他の部分と同じ肉厚を有する部分４２を短く設け、有底溝４１とフランジ部３９の他の部分と同じ肉厚を有する部分４２とを結ぶ線が真円となるように設けられている。切取線４０にはフランジ部３９の外周縁から斜めに連設される切込み口４４、４４を設けている。切込み口４４は、切取線４０と同様に超極幅狭な有底溝間にフランジ部３９の他の部分と同じ肉厚を有する部分を短く設け、鋏で切断しやすくしている。
フランジ部３９には、外周縁から排水導入口１８、１９の中途位置に亘る範囲に内外方向に延びる１対の切取線４５、４５を設けている。１対の切取線４５、４５の内端間には周方向に沿う１本の溝底切取線４６を設けている。切取線４５と溝底切取線４６との交わる位置には、切取作業を容易化するために微細孔４７が穿設されている。切取線４５と切取線４６とで囲まれる溝形成可能部の両側には、１対の凵状切取線４８、４８を設けている。凵状切取線４８、４８のうち直線が屈曲する角部には微細孔を設けて、切断の利便性を図っている。凵状切取線４８、４８はフランジ部３９の外周縁から立壁部１０、１１の外側面に亘る範囲に設けられ、フランジ部３９の外周縁に広がる直角三角形状の肉薄部分４９を連設している。直角三角形状の肉薄部分４９を凵状切取線４８と共に切除することで、排水トラップの外方に広がるフランジ部上面に連接した内向係止爪の基部に沿うようにした。
日本国内で現在販売されている排水筒の口径は一律ではない。メーカーにより異なる。また、同一メーカーにより販売されている排水筒であっても、型番により口径を異ならしめているものがある。本願発明は、フランジ部３９を切除しフランジ部３９の内外幅を調整することで、日本国内で現在販売されている総ての排水筒に使用できるようにした。
【符号の説明】
【００１９】１  ヘアキャッチャー
２、４０  底面
３  排水孔
４  凸条
５  保水部側壁
６  保水部
７  上部排水流出部
８、３９  フランジ部
１０、１１  立壁部
１２  円弧状壁部
１３  第１のガイド壁部
１４  第２のガイド壁部
１５  排水流入口
１７  排水流出孔
１８、１９  排水導入口
２０、４５  切取線
２１、２２、４６  溝底切取線
２５、４８  凵状切取線
２８  半円状切取線
【要約】      （修正有）【課題】各メーカーの排水トラップに適合する汎用性のあるヘアキャッチャーを提供する。【解決手段】排水孔３を具備する円形底面２には凸条４を設けている。底面２の周縁から保水部側壁を連設し、保水部側壁の上端周縁から外傾する上部排水流出部７を連設している。上部排水流出部７の上端縁には切取線により溝を形成可能なフランジ部８を張り出している。立壁部１０、１１は、排水流入口１５を有する円弧状壁部と第１のガイド壁部１３及び第２のガイド壁部１４よりなり、第１ガイド壁部１３と第２ガイド壁部１４の長さ及び円弧状壁部とのなす角度を異ならしめ、上部排水流出部７には、立壁部１０、１１で囲まれる範囲に排水流出孔１７を穿設している。【選択図】図１【図１】
0005522498.tif 000002
【図２】
0005522498.tif 000003
【図３】
0005522498.tif 000004
【図４】
0005522498.tif 000005
【図５】
0005522498.tif 000006
【図６】
0005522498.tif 000007
【図７】
0005522498.tif 000008
【図８】
0005522498.tif 000009
【図９】
0005522498.tif 000010
【図１０】
0005522498.tif 000011
【図１１】
0005522498.tif 000012
【図１２】
0005522498.tif 000013
【図１３】
0005522498.tif 000014
【図１４】
0005522498.tif 000015
【図１５】
0005522498.tif 000016
【図１６】
0005522498.tif 000017